(57)【特許請求の範囲】
【請求項１】
性的刺激装置において、
内部にバイブレータユニットが配置されたケーシングを備え、
前記バイブレータユニットは、
電気モータが収容されたハウジングであって、前記電気モータは、前記電気モータの動作により振動を生じる回転駆動可能な偏心体を有する、ハウジングと、
前記ハウジング内に配置され、前記電気モータに電力を供給するバッテリーと、
前記バッテリーの一方の極を前記電気モータの第１電極に接続する導電体と、
前記電気モータと前記バッテリーとの間に形成されたキャビティ内に位置し、前記バッテリーの他方の極を前記電気モータの第２電極に接続するスイッチとを有し、
前記スイッチは、前記電気モータのスイッチを入れるために一方向に押圧可能であるとともに前記電気モータのスイッチを切るために前記一方向と同一の方向に押圧可能な双安定作動手段を有し、ここで前記ケーシングの端部は密閉され、これによりケーシングが前記バイブレータユニットの端部を取り囲み、かつ前記ケーシングに、前記作動手段に隣接して位置する穴が形成され、前記バイブレータユニットは、前記穴を介して前記ケーシングに挿入されており、
前記ハウジングは、前記作動手段上に載置され、弾性的に押下可能なシール要素を有し、前記弾性的に押下可能なシール要素が前記ケーシングの穴から突き出ており、前記ハウジングの前記弾性的に押下可能なシール要素を除いて、前記ケーシングが前記バイブレータユニットを完全に覆うようになっている、性的刺激装置。
【請求項２】
前記装置を陰茎に連結する連結手段を含む、請求項１記載の性的刺激装置。
【請求項３】
前記連結手段は、前記ケーシングに連結されるとともに、好ましくは前記ケーシングと一体に形成される、請求項２記載の性的刺激装置。
【請求項４】
前記連結手段は、前記陰茎周囲に延びる弾性ループを有し、前記弾性ループは、前記ケーシングに近接する領域において、前記ケーシングから遠い領域より大きい断面を有する、請求項３記載の性的刺激装置。
【請求項５】
前記連結手段は、予め定められた脆弱点を有する、請求項２乃至４のいずれか一項記載の性的刺激装置。
【請求項６】
前記連結手段は、１以上の前方を向く突起を含む、請求項２乃至５のいずれか一項記載の性的刺激装置。
【請求項７】
前記スイッチの前記作動手段は、前記バイブレータユニットのうち使用時に陰茎から遠い方の側を向いて配置されている、請求項１乃至６のいずれか一項記載の性的刺激装置。
【請求項８】
前記ケーシングは、その内部に前記バイブレータユニットが挿入される弾性スリーブを有する、請求項１乃至７のいずれか一項記載の性的刺激装置。
【請求項９】
前記ハウジングは、一対の略半円筒形状のハーフシェルを有する、請求項１乃至８のいずれか一項記載の性的刺激装置。
【請求項１０】
前記ハーフシェルは、好ましくは超音波溶接により互いにシールされている、請求項９記載の性的刺激装置。
【請求項１１】
溝が、前記ハウジングの端部領域において前記ハウジング周囲に延びている、請求項１乃至１０のいずれか一項記載の性的刺激装置。
【発明の詳細な説明】
【技術分野】
【０００１】
本発明は、性的刺激装置に関する。
【背景技術】
【０００２】
従来技術において、様々な性的刺激装置が知られている。例えば、陰茎の周りに装着するゴムリングとともに該リングに連結された電気振動装置を有する、いわゆる電動コンドームリングが知られている。振動装置のオンオフを行うスイッチが設けられている。
【発明の概要】
【発明が解決しようとする課題】
【０００３】
英国特許第２４１４９３８号明細書には、オン／オフスイッチがプッシュロッドを有し、このプッシュロッドは、押圧されたとき、絶縁板を動作させてバッテリーと電気モータとの電気的接続を実現する電動コンドームリングが開示されている。偏心体が電気モータに接続され、これによりモータが回転した際に振動を生成する。製品を保管または運搬している間に、プッシュロッドが偶然押圧される場合があることが知られており、一旦これが生じると、装置のスイッチを切るためにプッシュロッドが偶然外方へ引き上げられることは、ほとんど可能性がない。結果として、電動コンドームリングが使用されるときそのバッテリーがなくなっているため、コンドームリングは廃棄される。プッシュロッドもまたかなり小さく、そして作動させるのに手間がかかる。
【課題を解決するための手段】
【０００４】
本発明は、性的刺激装置において、内部に配置されたバイブレータユニットを有するケーシングを備え、前記バイブレータユニットは、電気モータが収容されたハウジングであって、前記電気モータは、前記電気モータの動作により振動を生じる回転駆動可能な偏心体を有する、ハウジングと、前記ハウジング内に配置され、前記電気モータに電力を供給するバッテリーと、前記バッテリーの一方の極を前記電気モータの第１電極に接続する導電体と、前記バッテリーの他方の極を前記電気モータの第２電極に接続するスイッチとを有し、前記スイッチは、前記電気モータのスイッチを入れるために一方向に押圧可能であるとともに前記電気モータのスイッチを切るために前記一方向と同一の方向に押圧可能な双安定作動手段を有し、前記ハウジングは、前記作動手段上に載置され、弾性的に押下可能なシール要素を有する、性的刺激装置を提供する。
【０００５】
ユーザーは、装置を作動させるために作動手段を押圧し、装置を切るために再び押圧するだけなので、とりわけスイッチの作動を単純化できる点で有利である。装置の偶然の作動を避けるため、作動手段が装置上に位置することが有利である。作動手段を同一の方向に押圧することによりバイブレータユニットをオンオフできるという効果により、仮に装置が偶然にスイッチオンされても、従来技術と比べて、偶然に再びスイッチオフされる可能性を高くすることができて有利である。
【０００６】
バイブレータユニットがケーシング内に配置されているという利点により、バイブレータユニットが流体から保護され、これによりバイブレータユニット内での短絡を防止するのを助けるとともに、装置を衛生的にすることにもなる。ハウジングは、作動手段上に載置され、弾性的に押下可能なシール要素を有するという利点により、更に流体から保護することができる。
【０００７】
シール要素は、装置の他の要素と比べて、相対的に柔軟かつ圧縮性のある材料から構成されていても良い。このことにより、シール要素の周囲に隣接するケーシングをシール要素まで効果的に掘り下げ、とりわけ効果的なシールを形成することができるので有利である。
【０００８】
バイブレータユニットは、互いにシールされた一対のハーフシェルを有しうるハウジングを有しており、これにより更に装置の防水性をもたらす。好ましい実施の形態において、ハーフシェルは、超音波溶接を用いることにより互いにシールされており、これによりとりわけハウジングのシール性を良好にし、またこれは便利な製造方法である。
【０００９】
本発明の実施の形態に対して、とりわけ欧州規格BS EN 60529:1192（筐体によって与えられる保護の度合い）に基づく防水試験を行った。第１試験（ＩＰコード  IPX6）は、本発明による装置および本発明によるバイブレータユニットに対して、強力な噴流の条件下における水の進入に対する耐性を測定したものであり、一方、第２試験（ＩＰコード  IPX7）は、一時的な浸水の条件下における耐性を測定したものである。装置およびバイブレータユニットはともに、両方の試験に合格した。
【００１０】
いくつかの従来技術による装置もまたこれらの規格に対して試験を行った。１つのタイプの従来技術の装置において、オン−オフスイッチはスライド型スイッチの形状を有しており、一方、他のタイプの装置においては、交換不可能な小さいプラスチック片を除去することによりスイッチを投入される。この後者のタイプの装置は、一旦スイッチが入れられると、装置を切ることができず、かつバッテリーがエネルギーを使い果たすまで振動し続ける。これら従来技術の装置は、いずれも上述した防水試験に不合格となった。
【００１１】
上述したように、本発明による装置およびバイブレータユニットが良好な防水レベルを有しているという事実により、バイブレータユニット内に位置する電子機器は、例えば短絡および金属要素の腐食等、液体による潜在的損害から保護される。ユーザーが発する流体が装置およびバイブレータユニットに浸入することも防止されるので、本発明は衛生的である。仮にこのような流体が装置内に残存した場合、バクテリアが増殖することができ、装置を潜在的に害する。
【００１２】
有利には、スイッチの作動手段はバイブレータユニットのうち使用時に陰茎から遠い方の側を向いて配置され、このことにより使用中に作動手段が偶然ぶつけられることが起こりにくい。これは、使用中に不注意で装置がオンまたはオフされることを防止するのに役立つ。
【００１３】
本発明はまた、性的刺激装置のためのバイブレータユニットにおいて、電気モータが収容されたハウジングであって、前記電気モータは、前記電気モータの動作により振動を生じる回転駆動可能な偏心体を有する、ハウジングと、前記ハウジング内に配置され、前記電気モータに電力を供給するバッテリーと、前記バッテリーの一方の極を前記電気モータの第１電極に接続する導電体と、前記バッテリーの他方の極を前記電気モータの第２電極に接続するスイッチとを備え、前記スイッチは、前記電気モータのスイッチを入れるために一方向に押圧可能であるとともに前記電気モータのスイッチを切るために前記一方向と同一の方向に押圧可能な双安定作動手段を有し、前記ハウジングは、前記作動手段上に載置され、弾性的に押下可能なシール要素を有する、バイブレータユニットを提供する。このバイブレータユニットは、したがって、スイッチオンおよびオフの方法が単純であるという利点を有しており、この効果により、バイブレータユニットは、様々な異なる装置の中で使用することができ、装置またはバイブレータユニットの適合調整が最小限で済む。さらに、上で論じたように、バイブレータユニットは良好な防水レベルを有する。
【００１４】
以下、図面を例として参照することにより、本発明の一実施の形態を詳細に説明する。
【図面の簡単な説明】
【００１５】
【図１】本発明による性的刺激装置を示す斜視図。
【図２】図１に示す装置の背面図。
【図３】図１に示す装置の側面図。
【図４】図１に示す装置の正面図。
【図５】図１に示す装置内で用いられるバイブレータユニットの分解図。
【図６】スイッチオフされたバイブレータユニットの内部を示す図。
【図７】スイッチオンされたバイブレータユニットの内部を示す図。
【図８】バイブレータユニットの簡略化した回路図。
【図９】バイブレータユニットに用いられるスイッチの斜視図。
【図１０】図１に示す装置内で用いられるバイブレータユニットの第２の実施の形態による分解図。
【図１１】図１０に示すバイブレータユニットの組み立てられた形態における斜視図。
【発明を実施するための形態】
【００１６】
図１乃至図４に示す性的刺激装置１は、柔軟なゴム材料から作製され、弾性スリーブを形成するケーシング２を有している。バイブレータユニットは、ケーシング２内部に配置されている。ケーシングの上部であって、ケーシングのうち使用時に陰茎と正反対の側を向く側に、オン／オフ押しボタン３が設けられている。ボタン３は、薬用ドロップ形状に形成されるとともに、弾性的に圧縮可能なシール要素を有している。このシール要素は、防水のために、任意的にケーシング２内でバイブレータユニットに対してシールされても良い。あるいは、シールは耐水性を有していても良い。ケーシング２には、ボタン３が突き出る穴が形成されているが、ボタン３が完全に通過する必要はない。したがって、ケーシングは、バイブレータユニットのボタン３を除いてバイブレータユニットを完全に覆う。製造の際、バイブレータユニットは穴を通過してケーシング内に挿入される。このほか、ケーシング２およびボタン３を一体に構成し、これにより防水シールを保証しても良い。この場合、バイブレータユニットをケーシング２内に配置するために、例えばケーシングをバイブレータユニットの周りに成形する等、異なる方法が求められる。バイブレータユニット４０は、ケーシング内に予備組立ユニットとして挿入され、これにより、容易に作動可能なスイッチ機構を様々な異なるタイプの装置の中で使用でき、そして装置またはバイブレータユニットの適合調整が最小限で済む。この点において主に考慮されることは、この装置は、押しボタン３を押すことができるように構成されており、かつバイブレータユニットを収容するのに十分なスペースを有していることである。
【００１７】
ケーシングは、２つの閉じた端部領域４を有し、そのそれぞれが切頭ドーム形状を有し、実質的に平坦な円形端面を有している。ケーシング前面上に突起部が設けられ、これはとりわけクリトリスを刺激するための盛り上がった塊状部９からなり、この塊状部９は立方形形状を有していても良い。塊状部９の各側に、同様の目的のために役立つ一対の隆起部１０が設けられている。
【００１８】
ケーシング２に連結され、好ましくはそれと一体に形成されているのは、装置を陰茎に連結するための連結手段５である。連結手段５の前面に設けられているのは、膣を刺激するのに更に役立ついくつかの突起部７、８である。連結手段５は、適当な弾性ゴム材料から作製されうる、弾性リングまたは弾性ループを形成し、また連結手段５は少なくとも１つの脆弱点を有しており、これは、ここに示す実施の形態においては、弾性ループ５の材料中の一対の狭窄部６から構成されている。脆弱点６の目的は、必要な場合に、（弾性ループを破壊することにより）装置を容易かつ迅速に取り除けるようにすることである。
【００１９】
図２にもっとも良く示されるように、これは装置の背面を示しているが、連結手段５はケーシング２に近接する領域２２を有し、領域２２は、その断面が、ケーシング２から遠い連結手段の領域２３より広い。換言すれば、連結手段５は、ケーシングから離れるにつれて先細となっている。これによりケーシング２と連結手段５との間に強い連結がもたらされ、他方、連結手段５の他の領域は容易に引き伸ばすことができる。連結手段５の内周に、一連の小さい瘤または隆起部２１が設けられ、これにより装置を陰茎の所定位置に保持することが容易となる。とりわけ瘤２１は、ケーシング２により位置付けられる。
【００２０】
図２から分かるであろうが、弾性ループ５の直径はケーシング２の長さに略等しい。さらに、ケーシング２の端面４は弾性ループと連続しており、美的に魅力あるデザインであるとともに、これもまた弾性ループ５とケーシング２との強い連結をもたらしている。好ましくはケーシング２と弾性ループ５とは、一体的な構成要素からなり、とりわけ一体成形されるが、別体に形成されてその後互いに連結されても良い。バイブレータユニット４０は、ケーシング２内で、通常弾性ループ５に対して接線方向に方向付けられる。
【００２１】
図５に分解された状態で示されているバイブレータユニット４０は、成形により製造されても良い第１および第２の略半円筒形状のハーフシェル４１、４２から組み立てられたハウジングを有している。ハーフシェル４１、４２のうち少なくとも１つは、ハウジングの中身を所定位置に保持するのに役立つ内側リブ５３を含んでいる。ハーフシェル４１、４２は、その一端にそれぞれねじ部５１、５２を含んでおり、ハーフシェル４１、４２を接合したときに、ねじ部５１、５２がねじ付きの管状連結体を形成し、ここに端部キャップ、例えばねじキャップ４５を取付け可能であるとともに、シェル４１、４２を互いに保持する役割を果たすように構成されている。これに代えて、または追加的に、ハウジングハーフシェル４１、４２は、互いにスナップ式に係合されても良い。第１のハーフシェル４１の上部に、作動ボタン３が配置されている。
【００２２】
ハウジング４１、４２内部に収容されているものは、様々な電気接点とともに、電気モータ４３、スイッチ５４、および１つ以上のバッテリー４４（本実施の形態では、２つのバッテリー）である。電気モータは、その出力駆動シャフトに連結された偏心体５５を有し、これにより電気モータの動作により振動が生じる。導電体５０は、電気モータの第１電極（この第１電極は、モータ４３の金属ハウジングの側面から構成される）をバッテリーの金属ケーシングの側面によって形成されるバッテリー４４の極に接続する細長い金属片から構成される。電気モータとバッテリーとの間に形成されるキャビティ内に位置するのは、電気モータ４３のスイッチを入り切りするためのスイッチ５４である。このスイッチは、部分的にキャビティ内に配置されても良く、あるいは完全にキャビティ内に配置されても良い。スイッチ５４は、押しボタン４７から構成される双安定作動手段４７を含み、この押しボタン４７は、前記スイッチを作動させて電気モータ４３の電源を入れるために、ユーザーにより押圧されるものである。電気モータ４３のスイッチを切るために、ユーザーは押しボタン４７を再び押圧する。無論、実際上、ユーザーは、バイブレータユニットのハウジング上にある弾性ゴムのボタン３を押圧するのであり、このボタン３は押しボタン４７に直接隣り合って位置している。スイッチ５４の両側には、第１および第２金属接触板から構成される第１および第２接触手段４８、４９が設けられている。第１金属板４８は、電気モータの長手端面に位置する電気モータの極５６と、スイッチの第１端子６１との間の電気的接続を成立させ（図５参照）、その一方、第２金属接触板４９は、バッテリー４４の端面に形成されたバッテリー４４の極と、スイッチ５４の第２端子６２との間の電気的接続を成立させる。金属板４８、４９の主な目的は、標準化された要素であるスイッチ５４を手元にある特定の用途に適合させることである。金属板４８、４９は、良好な電気的接続を提供するために、それらが接触する要素に対して弾性的に付勢された接触部分を含んでいても良い。Ｏ−リング４６は、２つのハウジンクシェル４１、４２によって形成されるねじ付きの管状連結体の周囲に配置され、ハウジングとねじキャップ４５との連結をシールするのに役立つ。キャップ４５と反対側の端部近傍において、環状溝がハウジング周囲に延びており、この環状溝は、外側のケーシング内におけるバイブレータユニットの位置決めを容易に補助できるようにするために、ケーシング内部に成形されたリブを受容しても良い。
【００２３】
バイブレータユニットの内側作動要素が互いに組み立てられた状態で図６および図７に示されており、図６ではスイッチ５４が「オフ」の状態であり、図７では「オン」の状態である。スイッチ５４の作動ボタン４７は、スプリング６５によって導電性を有するスイッチ板６６に連結されており、スイッチ板６６は、図７に示すように２つの接触端子６１、６２間の間隙を橋渡しする位置に移動可能であり、これにより電気モータのスイッチを入れる回路が完成する。スイッチの内部には、作動ボタン４７を双安定とするためのラッチ手段が設けられ、このことにより、スイッチ接触板６６が図６の「オフ」の位置に戻るように作動ボタンが再び押圧されるまで、スイッチはオン状態のままである。導電体５０は、電気モータ４３の側面と接触する第１湾曲部６３と、バッテリー４４の側面と接触する第２湾曲部６４とを有している。
【００２４】
図８は、スイッチ５４、バッテリー４４、および電気モータ４３間の電気的な接続を図式的に示す単純な回路図である。本実施の形態において、２つのバッテリー４４は直列に接続されているが、より低い出力の振動を生じるように、バッテリーを互いに並列に接続することも可能である。この点、例えば押しボタン３を押すことにより、ユーザーがバッテリーの直列接続または並列接続を選択できるようにバイブレータユニットの内部要素を構成することも可能である。
【００２５】
図９は、第１および第２の接触板４８、４９（図５に示すものとわずかに異なる構成である）、電気端子６１、６２、および作動手段４７を含むスイッチ５４の詳細を示す。スイッチのハウジング９１はプラスチック材料からなり、他方、接触板４８、４９および端子は金属からなる。
【００２６】
図１０は、バイブレータユニット６８の他の好ましい実施の形態を示しており、これは、図５に示すバイブレータユニットと略同一であり、その同一の構成要素には同一の参照符号を用いている。主な相違点は、第１および第２の略半円筒形のハーフシェル７０、７１が、シーリングにより、換言すれば非機械的に、互いに連結されていることである。これにより、バイブレータユニットの防水性を良好にすることができ、これはハーフシェルが互いに機械的に連結されるときにおける防水レベルを上回るであろう。有利には、シーリングは、ハーフシェルがそこに沿って互いに係合する部分であるハーフシェル７０、７１周縁部に連続的になされ、またとりわけ周縁部全体であっても良い。例えば溶接（例えば超音波溶接および／または高周波溶接）、または化学シーリングを含む、様々なシーリング方法を用いることができ、また接着剤を用いても良い。したがってシーリングは永続的な効果を有し、ハーフシェル７０、７１を分離する場合、シールが破壊される。目下、好ましいシーリング方法は超音波溶接である。図５に示すバイブレータユニットの実施の形態において、端部キャップ４５は、ハウジングを閉じるとともにシェル４１、４２を互いに保持するのを補助するために設けられている。端部キャップ４５は取外し可能であり、バッテリー４４の交換を可能にする。図１０に示す実施の形態において、ユーザーがハーフシェル７０、７１を互いに分離して、その後それらを再付着することは不可能であり、したがってバイブレータユニット６８は、バッテリー４４が切れたときに使い捨てされることを意図される。このように使い捨てすることにより、バッテリーの寿命より長い期間にわたり装置を再利用することが不可能となるため、衛生を改善することにつながる。一方のハーフシェル７１は、その周囲に延びるフランジ７５を含み、かつ対応する切り込みがフランジを収容するために他方のハーフシェル７０周囲に沿って設けられている。このような構成により、他の存在するものと比べてシェル間の連結の表面領域を広くすることができ、このことはシーリング工程で２つのハーフシェル７０、７１を互いに強く結合することに役立つ。
【００２７】
図５および図１０に示すバイブレータユニットの実施の形態において、押しボタン３は、シェル４０、４１、７０、７１を製造するための材料と比べて、軟らかく圧縮性のある弾性材料からなる。この２材料からなるシェルを製造する１つの特別な方法は、２ショット成形プロセスを用いることであり、すなわち、第１材料がシェルの一つの部分を作成するために金型内に射出され、その後、第２材料がシェルの他の部分を作成するために射出される。これはまた、シェルの複数の部分に異なる色を用いることも可能にする。これらの部分を別々に作成し、互いに連結することも勿論可能である。
【００２８】
第１の実施の形態におけるバイブレータユニットのハウジングに設けられた１つの溝とは異なり、バイブレータユニット６８は一対の環状溝７４、７７を有している。追加の溝に対応する追加のリブが、ケーシング内部に成形されていても良く、これにより、バイブレータユニットは、製造時に装着される際、ケーシング内に確実に位置決めされる。
【００２９】
小さい切り込み７６がハーフシェル７０、７１の一方に設けられ、これは、ケーシング内に装着されるときに、バイブレータユニットの位置合わせを補助するために用いられる。切り込み７６の代わりに、マークまたはスリットを任意的に用いても良い。
【００３０】
図５に示すような、スイッチ５４に隣接する金属接触板４８、４９は、図１０に示す実施の形態においては設けられておらず、スイッチ５４は図９に示すとおりであり、これは図５より小さい接触板４８、４９を含んでいる。これにより構造を単純にすることができ、したがってユニット６８を容易に製造することができる。
【００３１】
バッテリー４４の公称寿命は、約２０分となるように選択される。この理由は、仮に装置が長時間にわたり使用または装着された場合、陰茎が傷つくおそれがあるからである。１回の使用時間の限度は３０分であることが提案されている。図示した実施の形態において、３５ｍＡｈの容量を有するＧ３−Ａ型１．５Ｖのバッテリーが２個使用される。これにより、約１００ｍＡの電流と、２１分の公称バッテリー寿命とが提供される。バッテリーによりもたらされる全エネルギーは、３Ｖに３５ｍＡｈを乗じた、１０５ｍＷｈである。これはいくつかの従来のバイブレータユニットより全エネルギーが増加することを示している。従来のバイブレータユニットは、本装置より長寿命であると考えられるが、著しく弱い出力の振動しか生じない。バイブレータユニットの比較試験において、従来の装置に対する発生する振動の強さを測定するために加速度計を用いた。ここに開示したバイブレータユニットは、最大６ｇ（ここでｇは重力加速度）の測定された加速度を生じ、これは従来のバイブレータユニットが発生可能な値より大幅に高い。
【００３２】
図５および図１０は縦のハーフシェルを有しており、すなわちシェルはユニットの長手方向に沿う連結面を形成するが、他の構成も可能であろう。例えばバイブレータユニットは、一端または両端にねじ込まれまたはシールされた端部キャップが設けられた円筒から構成されていても良い。あるいは、ハーフシェルは、ユニットの長手方向に垂直な連結面を形成しても良く、この連結面はバイブレータユニットを二等分しても良い。斜めに傾斜した連結面とすることも可能である。
【図１】
0005627236.tif 000002
【図２】
0005627236.tif 000003
【図３】
0005627236.tif 000004
【図４】
0005627236.tif 000005
【図５】
0005627236.tif 000006
【図６】
0005627236.tif 000007
【図７】
0005627236.tif 000008
【図８】
0005627236.tif 000009
【図９】
0005627236.tif 000010
【図１０】
0005627236.tif 000011
【図１１】
0005627236.tif 000012